Podtech/llm-jp-corpus-v4-ja_patent huggingface dataset:
(57)【要約】      （修正有）【課題】折りたたんで、バックや他の収納ボックスに入れられる、簡易携帯靴カバーを提供する。【解決手段】日常履く靴に被せる底のない伸縮せいが有り、雨が浸透しない素材で作った靴型のカバーで有り、カバーの下部を伸ばして靴の側面と靴底の縁にしっかり隙間がないようフィットさせることにより、急な雨から靴を守ることができ、又、不用の時は折たたみ、小さくして、バックや他の収納ボックスに簡単に入れられ日常携帯が容易で有ることを、特長とする、簡易携帯靴カバーで有る。【選択図】図１
2011050705.tif 000002
【特許請求の範囲】
【請求項１】
日常履く靴に被せる底のない、伸縮せいが有り雨が浸透しない素材で作った、靴型のカバーで有り、カバーの下部を伸ばして靴の側面と、靴底の縁にしっかり隙間がないようにフィットさせることにより急な雨から靴を守ることが出来、又、不用の時は折りたたみ小さくして、バックや他の収納ボックスに簡単にいれられ日常携帯が容易であることを特長とする、簡易携帯靴カバーである。
【発明の詳細な説明】
【技術分野】
【０００１】  本発明は、折りたたんでバックや、他の収納ボックスに簡単に入れられる、簡易携帯靴カバーに関するものである。
【背景技術】
【０００２】  従来、簡単に持参できる靴カバーも有りましたが、従来のカバーには底が有り、自分の履いている靴の底と重なることがあった。
【特許文献】
【発明の開示】
【発明が解決しようとする課題】
【０００３】  そのために、次の問題点があった、
（イ）サイズのピッタリした物をさがすのが大変であった（ロ）靴底が、自分の履いている靴底と、カバーの底と重なり歩きにくい、
本発明は以上の点を解決しようとするものである。
【課題を解決するための手段】
【０００４】  日常履く靴に被せる底のない伸縮せいが有り雨が浸透しない素材で作った靴型のカバーであり、カバーの下部を伸ばして靴の側面と靴底の縁にしっかり隙間がないようフィットさせることにより、急な雨から靴を守ることが出来、又、不用の時は折たたみ小さくして、バックや他の収納ボックスに簡単に入れられ日常携帯が容易であることを特長とする、簡易携帯靴カバーで有る。
【発明の効果】
【０００５】  本発明は、出先で急な雨にあい靴が濡れるのを一時的に防ぐことができ、雨が止めば、折りたたんでバックや他の収納ボックスに入れられる、町の中を良い天気になったのに長靴を履いて歩いていることはなくなる。
【発明を実施するための最良の形態】
【０００６】  以下、本発明の実施の形態を説明する
（イ）雨が浸透せず伸縮せいが有る素材により、靴型で底のない物を作成する
（１）自分の履いている靴に携帯靴カバーをかぶせる
（２）カバーの下部を伸ばして靴の側面と靴底の縁にしっかり、すきまがないよう            フィットさせる
（ロ）不用になった時には簡易携帯靴カバーを取り外し自由に収納することができる
本発明は、以上の構成によりなっている、
本発明を使用する時は（１）（２）に記載いたしましたようにカバーをかぶせ、カバーの下部を伸ばして靴の側面と靴底の縁にしっかり、隙間のないようにフィットさせる、又、隙間がないようフィットさせるためには、自分の履いている靴よりカバーの下部が少々小さめの物を選び装着時に下部を伸ばして装着させる、
あくまで一時的に雨より靴を守るもので有り、深い水たまりのところでは、不向きである。
【図面の簡単な説明】
【０００７】
【図１】本発明のカバー側面図
【図２】本発明のカバー底の平面図
【図３】本発明の使用状態を示す、側面図
【図４】本発明の靴に被せた時の底の平面図
【符号の説明】
【０００８】      １  カバー本体
２  カバーの底の縁
３  装着図
４  靴底面の縁
【図１】
2011050705.tif 000003
【図２】
2011050705.tif 000004
【図３】
2011050705.tif 000005
【図４】
2011050705.tif 000006
(57)【要約】【課題】従来のビニールテープが入らない、せまい箇所に、使用する為に、外径を小さくした、コンパクトなビニールテープを提供する。【解決手段】細い支軸にビニールテープを巻いて、外径を従来のビニールテープの半分以下にした非常にコンパクトなビニールテープ。【選択図】図２
2011014517.tif 000002
【特許請求の範囲】
【請求項１】
ビニールテープを細い支軸に巻きつけ、その外径は従来のビニールテープ外径の半分以下であることを特徴とするコンパクトなビニールテープ。
【発明の詳細な説明】
【技術分野】
【０００１】この発明は、細い支軸にビニールテープを巻いた、外径の細い、コンパクトなビニールテープに関するものである。
【背景技術】
【０００２】従来の、ビニールテープは、テープの残りが少なくなっても外径が３５ミリ以上あり、そのためすきまがこれ以下の個所でビニールテープを巻くためには使う長さに切って使用していた。
【発明の開示】
【発明が解決しようとする課題】
【０００３】従来のビニールテープは、次のような問題点があった。
（イ）電気配線で、２芯以上のコードをつないで、ビニールテープを巻く為には、となり      あったコード間の、間隔が３５ミリ以上なければ、ビニールテープを巻くのにかな      り、手間と時間が掛かっていた。
（ロ）配電盤及び操作盤の中の、従来のビニールテープが入らないせまい箇所に、ビニー      ルテープを巻きたい時は、使用する寸法に切ったりこれを小さく巻いたり折りたた      んだりしてから、作業しなければならなかった。
【課題を解決するための手段】
【０００４】ビニールテープを細い支軸に巻いて、外側を従来のビニールテープの半分以下にしたことを特徴にしたコンパクトな、ビニールテープである。
【発明の効果】
【０００５】従来のビニールテープでは使用寸法に切って、それを巻く時はビニールテープの後端をひきずりながら巻くことになり、他の部品にくっついたりホコリがついたりするので接着力が弱くなる欠点があった。そのためこのコンパクトなビニールテープを使用すればこの欠点は無くなり、またせまい個所でもビニールテープを楽に巻けるようになる。
【発明を実施するための最良の形態】
【０００６】  以下、本発明の実施の形態について説明する。
（イ）細い支軸（１）を芯にしてビニールテープ（２）を巻きつける。
これによりビニールテープ（２）は最後まで使い切ることを可能にする。
（ロ）太さ３ミリの支軸（１）に長さ１０００ミリのビニールテープ（２）を巻きつける      と外径が１５ミリ程になる。
本発明は以上の構成よりなっている。これを使用するときは、
［実施例１］図２、のように２芯のコード（３）を圧着スリーブ（４）でつなぐとき、コード間の間隔が、３５ミリ以下でもこのコンパクトなビニールテープを使えば、引っ張って張りながら強く巻きつける事ができる。
［実施例２］図３、のように配電盤の中でスナップスイッチ（５）にハンダ付け（６）した部分にビニールテープ（２）を巻きたいときは、このコンパクトなビニールテープ（２）があれば狭い個所でも巻きつけが容易になるという利点がある。
【図面の簡単な説明】
【０００７】
【図１】本発明の斜視図である。
【図２】本発明品を、２芯コードの圧着スリーブでつないだ部分に使用している図である。
【図３】本発明品を、スナップスイッチのハンダ付けに使用している図である。
【符号の説明】
【０００８】（１）  支軸
（２）  ビニールテープ
（３）  ２芯のコード
（４）  圧着スリーブ
（５）  スナップスイッチ
（６）  ハンダ付け。
（７）  配電盤断面
（８）  芯線
【図１】
2011014517.tif 000003
【図２】
2011014517.tif 000004
【図３】
2011014517.tif 000005
(57)【要約】【課題】容易でかつケガをしないように電子機器を分解、あるいは組立を行う際に安全に作業することの出来る電子機器を提供する。【解決手段】第１のキャビネットのねじ穴と第２のキャビネットのねじ穴をねじで結合させることで１つの筐体として構成する電子機器であって、第１のキャビネットは、前記ねじ穴が開いた板金が締結され、前記板金は、前記ねじ穴以外の部分がリブで囲まれている。【選択図】図４
2011014814.tif 000002
【特許請求の範囲】
【請求項１】
第１のキャビネットのねじ穴と第２のキャビネットのねじ穴をねじで結合させることで１つの筐体として構成する電子機器であって、
第１のキャビネットは、前記ねじ穴が開いた板金が締結され、
前記板金は、前記ねじ穴以外の部分がリブで囲まれていることを特徴とする電子機器。
【発明の詳細な説明】
【技術分野】
【０００１】
本発明は、小型で携帯可能な電子機器の筐体の締結構造に関するものである。
【背景技術】
【０００２】
締結構造を有する小型電子機器の具体例としては、携帯型テレビや記録媒体として半導体メモリー（ＳＤカード等）をセットして再生する携帯用音楽プレーヤを例に挙げることができる。
【０００３】
上記小型電子機器は、筐体の前側と後側をネジ等で締結して本体キャビネットを構成し、電子回路基板や、電気部品さらには構造部品等を保護する構造を備えたものであり、特許文献１に、２つのキャビネットをねじで結合させ１つの筐体の構成が開示されている。
【０００４】
またこれらの電子機器は、電気回路を駆動するための電源（電池）について消耗時に取り替える形態から充電電池を用いることで、電池が消耗しても充電を行って継続して使用できるように充電電池を内蔵する形態の電子機器が増加している。特許文献２に、鉛蓄電池で金属板のエッジを合成樹脂枠体の突出部で囲んでいる構成が開示されている。
【０００５】
内蔵の充電電池は、環境保護のために電子機器から取り出してリサイクルを行うことを推奨しており、充電電池を取り出すために電子機器を容易かつ安全に分解する必要がある。
【０００６】
図１は、従来の電子機器の前キャビネットである。前キャビネット１に板金アングル８を取り付けた状態では、コの字形リブが前キャビネット１に形成されていないため、切起し８ａの端面が直に現れるので、切起し８ａの端面に容易に触れることになり、ケガをする可能性が高くなる。
【先行技術文献】
【特許文献】
【０００７】
【特許文献１】特開２００８−２５６２９６号公報
【特許文献２】特開平１−１３４８５０号公報
【発明の概要】
【発明が解決しようとする課題】
【０００８】
しかしならが、電子機器からの充電電池を取り出すための分解や、分解されたキャビネットから電子機器を組み立てる場合において、容易でかつケガをしないように安全に電子機器を分解したり、組立を行う際にも安全に作業することの出来る電子機器の構造が求められている。
【課題を解決するための手段】
【０００９】
そこで、本発明の電子機器は、第１のキャビネットのねじ穴と第２のキャビネットのねじ穴をねじで結合させることで１つの筐体として構成する電子機器であって、第１のキャビネットは、前記ねじ穴が開いた板金が締結され、前記板金は、前記ねじ穴以外の部分がリブで囲まれている。
【００１０】
このようにすれば、板金の端面が露出することを防止することができる。
【発明の効果】
【００１１】
本発明の電子機器によれば、板金の端面を直接触れることにならないため、作業者のケガを防止できる。
【図面の簡単な説明】
【００１２】
【図１】従来の電子機器で裏側筐体を外した斜視図
【図２】本発明の実施の形態の電子機器の外観斜視図
【図３】本発明の実施の形態の電子機器の裏側の外観斜視図
【図４】本発明の実施の形態の電子機器の前キャビネットの斜視図
【発明を実施するための形態】
【００１３】
以下、本発明の電子機器を実施の形態に基づいて説明する。
【００１４】
図２は、電子機器の外観斜視図である。電子機器（携帯テレビ）の外観キャビネットは、前キャビネット１と前キャビネット１に複数のネジ６で締結されて取り付けられた後キャビネット２とで構成される。
【００１５】
さらに前キャビネット１は、外観キャビネットを保護するための透明な樹脂板材で形成されたカバーパネル３、電子機器を音楽プレーヤやビデオ表示装置として使うための記録媒体を装着するカードスロットを保護するカードフタ４と、電子機器を操作するための操作釦５を有している。
【００１６】
図３は、電子機器の裏側の外観斜視図である。電子機器は、自らを自立させるためのスタンド７を備えている。
【００１７】
図４は、電子機器の前キャビネット１の斜視図である。前キャビネット１は、後キャビネット２をネジ６で締結するための板金アングル８が取り付けられている。板金アングル８は、キャビネットの側面からネジ６で締結できるように、切起し８ａが設けられ、切起し８ａにはネジ６に係合するタップ８ｂが形成されている。
【００１８】
さらに前キャビネット１は、切起し８ａが嵌合するコの字形リブ１ａが設けられている。
【００１９】
なお、前キャビネット１あるいは後キャビネット２は、それぞれ第1のキャビネットあるいは第2のキャビネットの一例である。タップ８ｂはねじ穴の一例である。コの字形リブ１ａはリブの一例である。板金アングル８は板金の一例である。
【００２０】
以下、前キャビネット１に板金アングル８を取り付ける方法を説明する。
【００２１】
前キャビネット１に板金アンブル８を取り付ける。このとき、板金８に構成される切起し８ａがコの字形リブ１ａをガイドにして嵌め込まれることで、切起し８ａの端面がコの字形リブ１ａで隠されて、直に端面に触れないようになる。
【産業上の利用可能性】
【００２２】
本発明にかかる電子機器は、小型、大型に拘わらず、記録再生装置及び画像表示装置等の電子機器において、板金を介して前キャビネットと後キャビネットを締結することを必要とするものに対して利用可能である。
【符号の説明】
【００２３】
１    前キャビネット
１ａ    コの字形リブ
２    後キャビネット
３    カバーパネル
４    カードフタ
５    操作釦
６    ネジ
７    スタンド
８    板金アングル
８ａ    切起し
８ｂ    タップ
【図１】
2011014814.tif 000003
【図２】
2011014814.tif 000004
【図３】
2011014814.tif 000005
【図４】
2011014814.tif 000006
(57)【要約】【課題】模造品の被害はあとをたたないが、模造品の防止策を施したとしても防止策そのものが模造されることにより消費者や購入者が被害をうけ、模造品の防止策は消費者や購入者が簡単に認識できなければ、本物と模造品を区別しようとする行為そのものができない【解決手段】媒体に情報を印字しておき、印字された情報（以後、情報とする）の一部を隠蔽する工程と、情報を電子計算機を用いて整理する工程と、情報の隠蔽物をとりのぞいて情報を確認する工程と、確認した情報を問い合わせる工程と、問い合わせのあった情報が電子計算機を用いて整理した情報と一致しているかを確認して返事する工程と、偽情報の場合は関係機関に連絡する工程とからなる手段をとる。【特許請求の範囲】
【請求項１】
媒体に情報を印字しておき、印字された情報（以後、情報とする）の一部を隠蔽する工程と、情報を電子計算機を用いて整理する工程と、情報の隠蔽物をとりのぞいて情報を確認する工程と、確認した情報を問い合わせる工程と、問い合わせのあった情報が電子計算機を用いて整理した情報と一致しているかを確認して返事する工程と、特に問い合わせの情報が間違っていたり、すでに問い合わせ済みの情報を再度問い合わせされたりした場合に関係機関に連絡する工程とからなることを特徴とする模造品の発見方法および情報が印字された媒体。
【請求項２】
請求項１において、媒体に印字するかわりに、商品（特にブランド品）や模造品の存在するものに情報を印字したタグを付属させておき、消費者もしくは購入者各々がタグの情報を確認して問い合わせてくることにより、模造品の監視員を多数配置することなく模造品の存在を監視しする方法。
【請求項３】
請求項１および２において、媒体もしくはタグの情報を盗みだすために遮蔽物をとりのぞいた場合に、遮蔽物をとりのぞいたことが即座にわかるようにすることで、盗まれた情報を電子計算機に登録することで模造品の存在を見つける方法。
【請求項４】
上記の請求項１〜３において、印字する情報を乱数とし、しかも商品１点１点に別々の番号を印字することで、情報の類推を防止する模造防止方法と模造防止媒体もしくは模造防止タグ。
【請求項５】
上記の請求項１〜４により、正規の工場もしくは流通ルートからはずれて非正規のルートで販売されたり流通している商品もしくは媒体を見つけたときのルートの解明方法。
【発明の詳細な説明】
【技術分野】
【０００１】模造品の発見方法に関する
【背景技術】
【０００２】
【特許文献１】特許公開２００８−１８１４４７
【特許文献２】特許公開２００７−９２２５４
【特許文献３】ＷＯ２００６／０１１３８１
【非特許文献２】
【発明の開示】
【発明が解決しようとする課題】
【０００３】模造品の被害はあとをたたないが、模造品の防止策を施したとしても防止策そのものが模造されることにより消費者や購入者が被害をうけ、模造品の防止策は消費者や購入者が簡単に認識できなければ、本物と模造品を区別しようとする行為そのものができない。
【課題を解決するための手段】
【０００４】媒体に情報を印字しておき、印字された情報（以後、情報とする）の一部を隠蔽する工程と、情報を電子計算機を用いて整理する工程と、情報の隠蔽物をとりのぞいて情報を確認する工程と、確認した情報を問い合わせる工程と、問い合わせのあった情報が電子計算機を用いて整理した情報と一致しているかを確認して返事する工程と、偽情報の場合は関係機関に連絡する工程とからなる手段をとる。
【発明の効果】
【０００５】ランダムで推理されない情報を隠蔽することにより、模造品製作者が模造品を作れないようにし、しかも消費者や購入者が簡単に模造品を見分けることにより、市場から模造品を追放することができ、そらには消費者や購入者が購入場所からすぐに問い合わせをしてくることで、模造品を販売した者に逃走の時間や、別の模造品の販売余裕時間を与えない。
【発明を実施するための最良の形態】
【０００６】媒体に情報を印字しておき、印字された情報（以後、情報とする）の一部を隠蔽する工程と、情報を電子計算機を用いて整理する工程と、情報の隠蔽物をとりのぞいて情報を確認する工程と、確認した情報を問い合わせる工程と、問い合わせのあった情報が電子計算機を用いて整理した情報と一致しているかを確認して返事する工程と、偽情報の場合は関係機関に連絡する工程とからなる手段をとる。
【産業上の利用可能性】
【０００７】例えばブランド品や医薬品など模造品の存在する媒体に情報を印字するか、情報を印字したタグを付属させておき、消費者もしくは購入者各々がタグの情報を確認して問い合わせてくることにより、模造品の監視員を多数配置することなく模造品の存在を監視し模造品の被害を防止する。
(57)【要約】【課題】アルコール組成物の刺激臭含有品は、従来、嗜好品にアルコール含有割合高濃度のものが多く、アルコール食飲料、ケーキ、漬物、化粧品等身の回り品として存在している、すべての人がアルコール臭を好むとは限らないことからも、これ等のアルコール刺激臭の抑制効果を提供する。【解決手段】上記の問題を鑑みて、クスノキ科のクロモジ油に含有する成分にアルコール刺激臭抑制効果をし得る。【選択図】なし【特許請求の範囲】
【請求項１】
天然香科のクロモジ油からなるアルコール含有飲食料品組成物刺激臭抑制剤。
【請求項２】
天然香料のクロモジ油からなるアルコール含有化粧品組成物刺激臭抑制剤。
【請求項３】
天然香料のクロモジ油からなるアルコール含有香料品組成物刺激臭抑制剤。
【請求項４】
請求項１又は３に記載の１種類又は１種類以上を含有するアルコール含有組成物刺激臭抑制剤。
【請求項５】
上記記載において、本発明の趣旨を逸脱しない範囲の変更は本発明に含まれる。
【発明の詳細な説明】
【技術分野】
【０００１】本発明は、アルコール刺激臭抑制剤及びアルコール含有飲食料品、アルコール含有化粧品並びにアルコール含有香料品に関する。
【背景技術】
【０００２】上記の組成物に含有するアルコールの臭いに個人差はあるものの、これ等の組成物臭をすべての人が好むとは限らず、そのためにもアルコール組成物の刺激臭抑制を古くから公知のマスキング剤にて抑制してきた背景技術がある。【０００３】しかしながら、上記の方法には温度に左右することから改善が期待されている。【０００４】従来、嗜好品には、アルコール含有割合の高濃度のものが多い。アルコール飲食料、保存性効果から、ケーキ、漬物、化粧品等にアルコール刺激臭を含有している。
【発明の開示】
【発明が解決しようとする課題】
【０００５】上記解決方法には、アルコール組成物の刺激臭抑制効果をし得るこれらのアルコール含有品を提供する。
【課題を解決するための手段】
【０００６】上記の問題を鑑みて、各種香料成分について調べたところ、クスノキ科のクロモジ油に含有する成分に優れた効果作用が発揮される。【０００７】クロモジ成分が多重効果、有効性をもっての報告は公知物質となっている。【０００８】本発明の製造工程は、安価な製造方法を提供目的とする。【０００９】本発明は、上記課題を達成するため、生産性向上に寄与すべき製造方法の一体構成を特徴とする。【００１０】その課題は、アルコール刺激臭をおさえる手法に、攪拌にすることにより汎用性、用途拡大の提供にある。
【発明の効果】
【００１１】本発明のアルコール刺激臭抑制剤は、アルコールの刺激を抑制するためにアルコール含有飲食料品、化粧品、香料品等に有効に利用ができ、成分効果が好ましいことになる。【００１２】このように効果的に発揮される製法は、対象組成物刺激臭の含有物質を温室で攪拌可溶化し、均一な混合後に濾過を実施する。【００１３】本発明の特徴は，アルコール含有組成物を対象とする利用拡大を可能とする。【００１４】本発明は、素材の安心、安全性、作業効率の向上、安定量産の向上がはかられ新たな用途が想定される。
【発明を実施するための最良の形態】
【００１５】本発明の実施形態の一体構成は本実施形態に限定されるものではなく要旨の逸脱しない範囲の変更は本発明に含む。【００１６】上記実施形態については、好ましい素材の範囲述べており、固体、液体を含み、さらに他のアルコール含有組成物の固体、液体、粉末に汎用できる事の想定を述べている。【００１７】アルコール含有組成物刺激臭抑制剤の保存は、固体、液体、粉末組成物を長期保存が安定し、食品保存効果、薬理保存効果が発揮される。【００１８】本発明の形態構成に組成物を含み限定はなく経口用組成形態を制限しないことを特徴とする。
【産業上の利用可能性】
【００１９】本発明は、クスノキ科の天然香料のクロモジ油からなるアルコール含有飲食料品、化粧品、香料品等の組成物刺激臭抑制剤として多用途に効果が得られアルコール刺激臭を感じさせないことから産業上の利用に好ましい。
(57)【要約】【課題】珪藻土などの多孔質体をもつ表面積の大きいのを特徴とし、チオールの持ち合わせた素材の有用性を、その住環境改善材に提供する。【解決手段】チオールを含有した水溶液を抽出し、抽出した水溶液を多孔質の珪藻土、ゼオライト等に含有する液体を保持し住環境改善材に使用する。【選択図】なし【特許請求の範囲】
【請求項１】
多孔質の珪藻土にヒノキチオール，スギチオール、ヒバチオール等の含有する液体成分を保持させてなることを特徴とした住環境改善材。
【請求項２】
ゼオライトや無機系多孔質、ガラス発泡素材に上記の含有液成分を保持させてなることを特徴とした住環境改善材。
【請求項３】
請求項１又は２記載の組成物質を、単一又は混合し、建築物の基礎部、床、壁、周辺土壌に散布し得ることを特徴とした住環境改善材。
【請求項４】
請求項１，２，３に含む以外の有益な抽出物質の含有は同一効果が得られることから、本発明趣旨を逸脱しない範囲の変更は、本発明に含まれる。
【発明の詳細な説明】
【技術分野】
【０００１】本発明は、珪藻土、ゼオライト、ガラス発泡素材などの多孔質体を主体とした、住環境改善材に関する。【０００２】上記において、抗菌、殺菌効果等を有するヒノキチオール、スギチオール、ヒバチオール等を主成分とする。
【背景技術】
【０００３】住環境周辺、生活空間において様々な病原菌、雑菌等が存在しているが上記の特性の有効利用がなされている。【０００４】さらに、抗菌、殺菌、防ダニ、防カビ、臨床効果では、アトピー性皮膚炎や、糸状菌症、放射菌症、水虫菌、防臭、消臭効果が有していることが確認、利用されている。
【発明の開示】
【発明が解決しようとする課題】
【０００５】ところで、抽出チオールの芳香が過度に感ずる人の為にチオール水溶液が還元アルカリ性を呈することで成分を損なわずに芳香が減じられる。【０００６】チオール効果の含有保持、持続を目的とするには、公知物質の無機質系多孔質、珪藻土、ゼオライト、ガラス発泡素材に含有液成分を保持させてなる建築物の基礎部、床、壁、周辺土壌に散布することで効果が得られる。【０００７】そこで、上述のチオールと天然素材の珪藻土、ゼオライト、ガラス発泡素材等の有用性を基材にした有用な住環境改善材を提供することを目的とする。
【課題を解決するための手段】
【０００８】本発明の住環境改善材は、多孔質体を主体とし、チオール液体を細孔構造部分に含有保持させたことを特徴とする。【０００９】好ましくは、上記の効果をさらに持続的にさせるために散布剤の割合割合を５％□１とする。
【発明の効果】
【００１０】本発明は、珪藻土、ゼオライト、ガラス発泡素材等の多孔質と表面積の大きさの特徴を活用としたものであって、細孔部にチオールを含有液体保持、持続させた住環境改善材は、上記、公知の特徴、機能、成分、組成を相乗的に高性能が発揮され、安価なのが特徴。【００１１】本発明の住環境改善材は、多孔質体にチオールを保持させることで環境浄化に取り組むことができる。【００１２】多孔質体は埋蔵量の多い珪藻土、ゼオライト等を用いることから安定供給が可能であり、しかも安価である。【００１３】本発明の原料は天然素材やガラス発泡素材成分であり、有害物質は発生しない。【００１４】本発明の製造技術は単純であり高度技術を要しない。しかも住環境改善材としての使用範囲が広く、先進的に貢献する。
【発明を実施するための最良の形態】
【００１５】本発明の趣旨を逸脱しない範囲での変形は可能である。【００１６】単一、混合成形含有の形態である。【００１７】多孔質体にチオールを含有させることの単純さと合理的な成形が特徴。【００１８】この実施例については多孔質体の細孔構造や表面化学特性の部分にチオールを含有とした住環境改善材に関する。
【産業上の利用可能性】
【００１９】このような散布剤は、建築初期段階にシロアリ被害予防することができる。【００２０】新建材等から発散されるホルムアルデヒド等によるシックハウス症候群の原因除去に活用できる。【００２１】住環境改善材は、通気性の有する麻袋、不織布、土嚢用袋等の使用も併用可能とし環境に負荷を与えない。
(57)【要約】【課題】クロモジ含有粉末が長期安定に食品分野、医療分野に存在する組成物を提供する。【解決手段】クロモジ抽出成分の一種又は、二種以上他の配合組成の含有することを特徴とする。【選択図】なし【特許請求の範囲】
【請求項１】
クスノキ科のクロモジを粉末成形し、薬効成分の高純度の製造方法。
【請求項２】
クロモジを粉末成形し、医薬分野、健康補助食品分野の製造方法。
【請求項３】
上記の粉末成形は、粉末１００重量％製造してなることを特徴とする製造方法。
【請求項４】
上記記載の製造方法において、求項１から３を含み、本発明の趣旨を逸脱しない範囲の変更は本発明に含まれる。
【発明の詳細な説明】
【技術分野】
【０００１】本発明は、クスノキ科のクロモジ成分が人体の恒常性調節機能に関与している。血管収縮作用に関与している。健康機能性を備え、生活習慣病改善を得ていることは公知のことである。食品分野、医療分野等広範囲に活用可能とする基礎的粉末素材の提供に関する。
【背景技術】
【０００２】クロモジは本来，古くからお茶に供されてきた。【０００３】クロモジは、肥満，高中性脂肪、高血糖等の生活習慣病の予防、改善に効果があると公知されている。【０００４】従来、クロモジに含有する物質は、上記の他にアロマセラピーに有用な物質であるにも係わらず十分に活用されて入ない。近い将来の普及を鑑みるとクロモジの粉末効果は、食品分野、医療分野に安定供給、安価な製造プロセスのタイミングを可能とする。
【発明の開示】
【発明が解決しようとする課題】
【０００５】上記背景には、クロモジに含まれる薬能効果摂取を液汁あるいは煮込み方法を取っていたが、飲みにくく，食べにくくさせている。【０００６】そのため、クロモジを１００パーセント粉末にすることで、均一製造を可能とし、工程において、製造原価がビズネスチャンスに結び付く価格と、技術の進化によって、売れる価格設定が望まれる。【０００７】好ましくは、食品分野、医療分野において、天然素材を加工し、効率良く固体物質から粉末物質に転換することで、一体構造の問題解決となる。【０００８】粉末技術は、好ましくは、他の素材との組み合わせを容易にし、上記の使用範囲拡大が想定される。
【課題を解決するための手段】
【０００９】上記の問題を鑑みて、本発明は、クロモジ成分を含有する食品分野、医療分野に、粉末加工により効果的に発揮される。【００１０】クロモジ成分が生活習慣病、改善に優れた多重効果、有効性をもっての報告は公知となっている。【００１１】従って、粉末製造工程において安価な製造方法を提供目的とする。【００１２】本発明は、上記課題を達成するため、生産性向上に寄与すべき製造方法の一体構成を特徴とする。【００１３】その課題は、粉末にする汎用性、用途拡の発揮の提供にある。
【発明の効果】
【００１４】本発明は、クロモジを粉末製品にすることによって、食品分野を有効に利用ができ、クロモジに含有する成分効果が健康増進を図る。好ましい食品素材に添加することにより食味の良い食品を増すことになる。【００１５】このように効果的に発揮される粉末加工品は、均一に混合可能としクロモジ含有効果が、高血圧改善、動脈硬化予防、細胞の活性化、血液浄化等の効能があることは公知とされている。【００１６】本発明の特徴は，クロモジの固体を粉末加工することで食品分野、医療分野の利用拡大を可能とする。【００１７】本発明は、素材の安心、安全性、作業効率の向上、安定量産の向上がはかられ新たな用途が想定される。
【発明を実施するための最良の形態】
【００１８】本発明の実施形態の一体構成は本実施形態に限定されるものではなく要旨の逸脱しない範囲の変更は本発明に含む。【００１９】上記実施形態については、クロモジの粉末に添加混合する好ましい素材の範囲述べており、クロモジの固体、液体を含み、さらに他の食品の固体、液体、粉末に汎用できる事の想定を述べている。【００２０】粉末保存は、固体、液体に比し長期保存が安定し、食品保存効果、薬理保存効果が発揮される。【００２１】本発明の形態構成に組成物を含み限定はなく経口用組成形態を制限することは意図しないことを特徴とする。
【産業上の利用可能性】
【００２２】本発明は、クロモジを粉末とした場合多くの食品分野に利用しやすい。医療分野は、生活習慣病の効果、血糖値上昇抑制効果等公知とされている。クロモジを１００パーセント粉末加工された物質を好ましい食品原料及び医薬品原料との組み合わせ効果が得られ産業上の無駄がない。
(57)【要約】【課題】クロモジの薬効成分組成技術で有効成分組成を食品との融合性に優れた汎用活用し食飲料品添加物に発揮し得る、液体物質、固体物質、顆粒物質、粉末物質の配合組成加工製造法は，比較的簡単な装置を用い、作業技術でもって大量生産することを特徴とした。【解決手段】本発明は、上記諸課題を解決し、クロモジ薬効成分組成効用の有効性は、地域の天然資源を活用することで地域事業を育成し、地域の産業開発となる。【選択図】なし【特許請求の範囲】
【請求項１】
クスノキ科のクロモジ植の薬効成分組成抽出を液体物質、固体物質、顆粒物質、粉末物質等の加工抽出を得たことを特徴とする。
【請求項２】
クロモジの薬効成分組成抽出を食飲料品の融合性に優れて得たことを特徴とする。
【請求項３】
請求項２に請求項１の単独で用いても良く、また２種以上の混合によって植物薬効成分組成を得ことを特徴とする。
【請求項４】
請求項３において同等の成果を得ることを特徴とする。
【請求項５】
前記、請求項１から４において本発明趣旨を逸脱しない範囲の変更は、本発明に含まれる。
【発明の詳細な説明】
【技術分野】
【０００１】本発明は、クスノキ科のクロモジの花、葉、茎、根からの抽出物を用いた配合組成のジュース、粉末の製造に関するものである。【０００２】クロモジの成分組成は、血圧降下作用において期待できる。【０００３】クロモジの薬効成分組成を、液体物質、固体物質、顆粒物質、粉末物質との配合組成は、利便性に関するものである。
【背景技術】
【０００４】クロモジの薬効成分物質に血圧降下作用があることについては，公知とされている。
しかし、依然として抽出物質の性状対策に汎用性がないままが実態である。クロモジ薬効成分物質を、液体物質、固体物質、顆粒物質、粉末物質等の汎用を視野に入れ、配合組成を積極的に追求でき得る技術を提供する。
【発明の開示】
【発明が解決しようとする課題】
【０００５】前記従来、植物の薬効組成、機能は類似していることから、液体物質は、液体のまま固形物質は固形のままに用いられ要しているが、本発明の、薬効成分抽出製造は、液体物質、固体物質、顆粒物質、粉末物質に飲用を容易にし、しかも、複合効果を図った加工抽出は、容易に確実、しかも添加、混合、攪拌が一体型でもって効果が得られる。【０００６】本発明は、このような実状に鑑みなされたものであり，クロモジの薬効成分物質を他との配合組成でその提供を目的とする。
【課題を解決するための手段】
【０００７】課題を解決するため、本発明技術は、クロモジの有効成分の液体物質，固体物質、顆粒物質、粉末物質薬効成分、組成を対象多物質質構造に汎用活用を図ったことによる、好ましい選択の合理的構成が得られ、この発明に到達した。
【発明の効果】
【０００８】以上のように、本発明技術は、有効成分を無駄なく発揮され食飲料品との融合性に優れ、汎用され、食品添加物への期待は大きい。【０００９】日配加工食品、醗酵食品、飲料品，酒類等にクロモジ薬効成分組成は効用を発揮されることを特徴とする。【００１０】天然素材のクロモジ成分の有用な植物は、各地域の地域資源の利用技術となり、しかも、天然資源の活用から安定供給ができ、規模の自在設定ができることからも地域産業に貢献することを特徴とする。
【発明を実施するための最良の形態】
【００１１】本発明は、クロモジ薬効成分組成を、液体物質、固体物質、顆粒物質、粉末物質薬効成分組成加工を図ることの汎用性。つまり、選択による好ましい効果が得られる。【００１２】上記技術でもって、本発明趣旨を逸脱しない範囲の変更は、本発明に含まれることを特徴とした。
【産業上の利用可能性】
【００１３】本発明の、クロモジ薬効成分組成の抽出する製造方法は、天然素材の加工技術によることを特徴としている。【００１４】上記、地域の天然資源を活用することで産業上の利用可能性を有する。
(57)【要約】【課題】アロマセラピー芳香性をもつ植物から抽出された芳香油を加工容器でもって芳香を揮発促進させる。高額な設備投資を押さえ、比較的簡単な装置でもって大量生産することを特徴とした。【解決手段】芳香油を揮発促進することによって成分組成効用の有効性アロマセラピー効果が発揮される。アロマセラピー芳香油の揮発促進を無機系多孔質、ゼオライト，珪藻土、金属加工、木工加工、陶器加工、プラスチッ加工等の容器、または、それらを組み合わせ成形した容器を加熱することにより、芳香油が蒸発し、好ましい芳香揮発を促進する。【選択図】なし【特許請求の範囲】
【請求項１】
アロマセラピ−芳香油の揮発促進を無機系多孔質、ゼオライト、珪藻土、金属加工、木工加工、陶器加工、プラスチック加工の容器、または、それらの組み合わせ成形の容器を加熱し、アロマオイルを揮発促進させることを特徴とする。
【請求項２】
公知の既知物質芳香油に３５℃±５の加熱による効果は、アロマオイルの揮発促進を芳香油の蒸発をすることで得たことを特徴とする。
【請求項３】
単一アロマオイル、複数アロマオイル混合の芳香組成物の揮発促進を得ることを特徴とする。
【請求項４】
請求項３において同等の成果を得ることを特徴とする。
【請求項５】
前記、請求項１から４において本発明趣旨を逸脱しない範囲の変更は、本発明に含まれる。
【発明の詳細な説明】
【技術分野】
【０００１】本発明は、アロマセラピーにおける香料、芳香性をもつ植物から生成組成されている芳香を揮発促進させ、芳香療法、肌にすり込む健康法、美容法に関するものである。【０００２】上記の芳香組成物は、癒し効果、自然治癒効果を高めるアイテムが類似し、芳香揮発促進させることでさらなる期待ができる。【０００３】本発明の芳香油発揮促進は、アロマセラピ−における成分揮発促進によって、精神性理学に関するものである。
【背景技術】
【０００４】従来の香料、芳香は、依然として各種の個別対応がなされ、抽出物質の性状対策に汎用性は希薄で、対象物質の成分組成の抽出が十分な成果を上げ得ているとは言えない実態である。対象成分物質を発揮させることで、消臭、脱臭、抗菌、殺菌、臨床効果等の汎用性を可能とし、積極的に効果が追求でき得る技術を望んでいる。
【発明の開示】
【発明が解決しようとする課題】
【０００５】前記従来、芳香組成物、機能は類似し、感覚属性に関する香料と香りの分野において、臭覚感覚に一様性のない複雑分野のまま用いられている。本発明の、芳香組成成分揮発促進は、公知、既知物質感覚属性の促進効果の実用化を鑑みることを課題とした。【０００６】本発明は、このような実状に鑑みなされたものであり，芳香組成物質の成分揮発促進でそのアロマセラピーの提供を目的とする。
【課題を解決するための手段】
【０００７】課題を解決するため、本発明技術は、前記の芳香組成物を３５℃±５の加熱による効果で対象成分物質に揮発効果が得られ、請求項１から５の好ましい選択の合理的構成が得られ、この発明に到達した。
【発明の効果】
【０００８】以上のように、本発明技術は、アロマセラピー効果が発揮し、芳香組成物質成分を無駄なく融合し、汎用され、その期待は大きい。【０００９】芳香成分効用は、公知とされているものに、抗菌力、殺菌力、除菌力、院内感染を効果的に防止できるとされている。森林浴と同様の精神安定効果から癒し自然治癒力を高めるアイテムの複合の芳香揮発を促進することを特徴とするアロマセラピー。【００１０】芳香揮発促進は、芳香油を入れる蒸発容器を成形としたことを特徴とする。
【発明を実施するための最良の形態】
【００１１】本発明は、対象芳香成分の容器を３５℃±５の加熱でもって、前述の芳香組成物、生成方法の成分組成を発揮し得ることを図ることの汎用性。つまり、発熱体は、容器を備えた、例えば、小型電球、伝熱ヒーター、太陽電池等の加温装置の中に対象芳香成分の入った容器を入れる選択により、芳香油の蒸発によって好ましいアロマセラピー効果が得られる。【００１２】なお、本発明は上記技術の実施に限定されるものではなく、趣旨を逸脱しない種々範囲の変更は、本発明に含まれる。
【産業上の利用可能性】
【００１３】芳香成分揮発促進をすることで、アロマセラピー効果となり、芳香療法、肌にすり込む健康、美容法並んで精神性理学に関することから、癒しの効果、自然治癒等の臨床効果に係わる。【００１４】上記、対象成分物質を発揮促進することで、さらに、消臭、脱臭、抗菌、殺菌等の汎用性の効果が得られ、産業上の利用可能性を有する。
(57)【要約】【課題】車椅子が必要な人でもパーティードレスが簡単に着たり脱いだり出来ることを可能とする。【解決手段】パーティードレスを上半身の部分と下半身の部分との２つに分け、上半身の部分には脇の下から裾までを着脱する面ファスナーを付け、下半身の部分にはスカートの後ろの部分を着脱する面ファスナーを付けたことを特徴とする。【選択図】図３
2011074551.tif 000002
【特許請求の範囲】
【請求項１】
パーティードレスを上半身の部分と下半身の部分との２つに分け、上半身の部分には脇の下から裾までを着脱する面ファスナーを付け、下半身の部分にはスカートの後ろの部分を着脱する面ファスナーを付けたことを特徴とする簡易パーティードレス。
【発明の詳細な説明】
【技術分野】
【０００１】  本発明は、車椅子が必要な人でも着脱が容易なパーティードレスに関するものである。
【背景技術】
【０００２】  車椅子が必要な人がそのパーティードレスを着用しようとすると、寝たきりの人はもとより、上半身の自由が利く人でさえ困難を伴うという欠点があった。【０００３】  また、頑張って一人でまたは他者の手を借りて着たとしても、トイレで用を足すときに更に困難を伴うなどの問題があった。【０００４】  そのため、車椅子を必要とする人の多くは、ドレスはおろかスカートをはいている人も珍しく、殆どの人がズボンをはいている。【０００５】  この改善策として、本発明は面ファスナーによって着脱が自由なパーティードレスを考案した。
出願人は、上記の背景技術に関連する先行技術文献を知らない。
【発明の概要】
【発明が解決しようとする課題】
【０００６】  解決しようとする問題点は、車椅子を必要とする人が、一般のパーティードレスを着たり脱いだりすることが困難であるという点である。
【課題を解決するための手段】
【０００７】  本発明は、車椅子を必要とする人が、パーティードレスの着脱を容易にするために、面ファスナーを取り付けたことを最も主要な特徴とする。
【発明の効果】
【０００８】  本発明の簡易パーティードレスは、上半身の部分と下半身の部分に分け、上半身の脇の部分と下半身の後ろの部分に面ファスナーが取り付けられており、車椅子が必要な人が、自分ひとりで、あるいは他者の手を借りて、容易に着たり脱いだりすることが出来る、という利点がある。
また、本発明は、下半身のスカートの後ろの部分が面ファスナーで留まっているだけなので、トイレで用を足すのに便利である。ただし、このトイレで用を足すのに便利にするために、あえて、本発明の下半身のスカートの部分は一部分しか面ファスナーを設けていない。従って、本発明を身に着けるときには、スパッツなどのズボンが必須である。
【図面の簡単な説明】
【０００９】
【図１】図１は簡易パーティードレスの上半身の斜視図である。
【図２】図２は簡易パーティードレスの下半身のスカート部分の展開図である。
【図３】図３は簡易パーティードレスの背面図である
【発明を実施するための形態】
【００１０】  図１は、本発明によるパーティードレスの上半身部分１の斜視図である。本実施形態では、上半身部分１は、ノースリーブで丸首のシャツ形をしており、その一方の側面において前身頃の生地と後身頃の生地が分離している。その分離された部分の端に沿って前身頃の生地と後身頃の生地との両方にテープ状の面ファスナー２，２が取り付けられており、各オス、メスの面ファスナー２，２を圧着することにより、その一側面において、前身頃の生地と後身頃の生地とを連結できるようになっている。
図２は、本発明によるパーティードレスの下半身部分３の展開図である。本実施形態において、下半身部分３は、台形のスカート生地と、その台形の上底に取り付けられたテープ状のウエスト生地とを備えている。そして、ウエスト生地の両端部には、それぞれオス、メスの面ファスナー片２，２が取り付けられている。
図３は、図１に示した上半身部分１と、図２に示した下半身部分３の使用状態を示している。図３は、使用者の背中側から見た図になっている。使用者は、上半身部分１に一方の袖を通すと共に、上半身部分１を頭から被り、他方の袖の下にきた面ファスナー２を連結し、前身頃と後身頃を連結することによって、上半身部分１を装着する。また、使用者は、下半身部分３のスカート生地がモモを隠すように、下半身部分３のウエスト生地を腰に巻き付け、ウエスト生地の両端に取り付けられた面ファスナーを背後で連結する。
本実施形態によれば、パーティードレスの上半身部分と下半身部分とを分けると共に、着る際に一部を面ファスナーで脱着できるようにしたので、車椅子を必要とする人でも、パーティードレスの着脱を容易にすることができる。
また、本発明の実施形態ではノースリーブで丸首となっているが、半袖にしたり、Ｖ字の首にしたりしても良い。
下半身部分も、台形のスカート生地にフリルをつけたり、裾を波状にしておしゃれにしても良い。
【符号の説明】
【００１１】  １    ドレスの上半身部分
２    面ファスナー
３    ドレスの下半身部分
【図１】
2011074551.tif 000003
【図２】
2011074551.tif 000004
【図３】
2011074551.tif 000005
(57)【要約】【課題】暖かさを高めた防寒用ジャケットを提供する。【解決手段】この防寒用ジャケット１は、外界の空気に接する表地１１と着用者の身体側の裏地１２との間に設けられ、炭素微粉末により形成された繊維が綿状に集合した炭素フェルト地１３と、炭素フェルト地１３と裏地１２との間に設けられ、炭素フェルト地１３よりも熱伝導性が高く、着用者の身体側の温度が平均されて行き渡る熱伝導シート地１４と、を備えてなり、着用者が局部的な寒さを感じることがなく、また、炭素フェルト地１３の発する遠赤外線により身体の周囲全体から深部を加温することができる。【選択図】図１
2011074545.tif 000002
【特許請求の範囲】
【請求項１】
表地と裏地との間に設けられ、炭素微粉末により形成された繊維が綿状に集合した炭素フェルト地を備えてなることを特徴とする防寒用ジャケット。
【請求項２】
請求項１に記載の防寒用ジャケットにおいて、
該炭素フェルト地と前記裏地との間に設けられ、炭素フェルト地よりも熱伝導性が高い熱伝導シート地を更に備えることを特徴とする防寒用ジャケット。
【発明の詳細な説明】
【技術分野】
【０００１】
本発明は、防寒用ジャケットに関する。
【背景技術】
【０００２】
一般に、防寒用ジャケットとして、外界の空気に接する表地と着用者の身体側の裏地との間に、羽毛やポリエステル繊維などを詰めたダウンジャケットやダウン風ジャケットが広く使用されている（例えば、特許文献１）。
【先行技術文献】
【特許文献】
【０００３】
【特許文献１】特開２００４−１６９２１１号公報
【発明の概要】
【発明が解決しようとする課題】
【０００４】
しかし、防寒用ジャケットは、常に、着用したときの快適性が改善され、特に暖かさを高めたものが求められる。
【０００５】
本発明は、係る事由に鑑みてなされたものであり、その目的は、暖かさを高めた防寒用ジャケットを提供することにある。
【課題を解決するための手段】
【０００６】
上記目的を達成するために、請求項１に記載の防寒用ジャケットは、表地と裏地との間に設けられ、炭素微粉末により形成された繊維が綿状に集合した炭素フェルト地を備えてなることを特徴とする。
【０００７】
請求項２に記載の防寒用ジャケットは、請求項１に記載の防寒用ジャケットにおいて、
該炭素フェルト地と前記裏地との間に設けられ、炭素フェルト地よりも熱伝導性が高い熱伝導シート地を更に備えることを特徴とする。
【発明の効果】
【０００８】
本発明に係る防寒用ジャケットによれば、炭素フェルト地或いは熱伝導シート地によって、防寒用ジャケットの身体側の温度が平均されて行き渡るため、局部的な寒さを感じることがなく、また、炭素フェルト地の発する遠赤外線により身体の周囲全体から深部を加温することができ、暖かさを高めることができる。
【図面の簡単な説明】
【０００９】
【図１】本発明の実施形態に係る防寒用ジャケット１の構造を示す断面図である。
【発明を実施するための形態】
【００１０】
以下、本発明を実施するための好ましい形態を説明する。本発明の実施形態に係る防寒用ジャケット１は、図１に示すように、外界の空気に接する表地１１と着用者の身体側の裏地１２との間に設けられ、炭素微粉末により形成された繊維が綿状に集合した炭素フェルト地１３と、炭素フェルト地１３と裏地１２との間に設けられ、炭素フェルト地１３よりも熱伝導性が高い熱伝導シート地１４と、を備えてなる。防寒用ジャケット１の表地１１と裏地１２、及び全体の外観は、通常のダウンジャケットのものと同様のものである。
【００１１】
炭素フェルト地１３において、炭素微粉末の繊維は綿状（綿菓子状）に集合しており、その繊維はランダムな（３次元的に様々な）方向に向いて互いに絡まり、繊維同士は様々な方向で結合している。この結合は、例えば、機械的な圧縮とともに、高温（例えば、約２０００℃〜約２５００℃）にすることで、隣接する繊維の炭素同士を部分的に結晶化して行う。炭素フェルト地１３は、表地１１と裏地１２に挟まれた状態でのキルティング加工の容易などを考慮して、ウレタンなどの他の繊維を多少混合することも可能である。
【００１２】
熱伝導シート地１４は、炭素フェルト地１３（例えば、厚さ約１０ｍｍ〜５０ｍｍ）よりも非常に薄い（例えば、厚さ約０．１ｍｍ程度の）ものであり、炭素フェルト地１３と同様に、炭素微粉末により形成された繊維が薄く高密度に集合したものなどを用いることが可能である。
【００１３】
このような防寒用ジャケット１は、着用者の身体の表面形状にほぼ沿って形成されている熱伝導シート地１４によって、防寒用ジャケット１の身体側の温度が平均されて行き渡る。また、炭素フェルト地１の身体側の部分は、熱をほどよく吸収して拡散する。炭素フェルト地１の外界側の部分は、溜まった空気の層により外界との断熱として働く。その結果、防寒用ジャケット１は、着用者が局部的な寒さを感じることがなく、また、炭素フェルト地１３の発する遠赤外線により身体の周囲全体から深部を加温することができ、暖かさを高めることができる。
【００１４】
また、炭素フェルト地１３の炭素微粉末の繊維が軽量であるので、防寒用ジャケット１は羽毛のダウンジャケットに比べても非常に軽いものとなる。また、炭素微粉末の繊維は不燃性であるので、防寒用ジャケット１は燃えにくいものとなる。
【００１５】
防寒用ジャケット１は、着用者の身体からの熱で暖まるだけでなく、電気によるものや化学反応によるものの熱源（発熱体）を用いた場合には、着用者が局部的な寒さを更に感じることがなく、また、炭素フェルト地１３の発する遠赤外線により身体の周囲全体から深部を更に加温することができる。
【００１６】
以上、本発明の実施形態に係る防寒用ジャケットについて説明したが、本発明は、上述の実施形態に記載したものに限られることなく、特許請求の範囲に記載した事項の範囲内でのさまざまな設計変更が可能である。例えば、炭素フェルト地１３の身体の表面に沿った方向の熱伝導性がある程度高いものであれば、それによって防寒用ジャケット１の身体側の温度がある程度平均されて行き渡るので、場合によっては熱伝導シート地１４を省略することも可能である。また、防寒用ジャケット１の構造は、シュラフ、寝具（敷きマット等）、膝かけなどの他の防寒具に用いることも可能である。
【符号の説明】
【００１７】
１      防寒用ジャケット
１１    表地
１２    裏地
１３    炭素フェルト地
１４    熱伝導シート地
【図１】
2011074545.tif 000003
(57)【要約】【課題】現在提案されている芯片の着装を可能にする浴衣は本来の衿部における浴衣の仕立て構造（地衿部分に同布で作られた共衿を縫いつけ首周りの衿部を形成する構造）を有する浴衣にて実施可能であるが最近市場に大量に出回っている浴衣は地衿の共衿部分にひだをとり、共衿があるように見える仕立て構造になっている。その為芯片の装着は難しい。【解決手段】地衿（１）にひだをとり、外見上の共衿（２）を備えた浴衣本体部の外見上の共衿（２）に開口部（３）を設け芯片（７）が挿入できるようにした。【選択図】図２
2011074549.tif 000002
【特許請求の範囲】
【請求項１】
地衿（１）にひだをとり、外見上共衿があるような構造を備えた浴衣本体部の外見上の共衿（２）に開口部を設け、首周りの衿部に和装特有の衣紋を抜くという形状形成と保持を容易にすることが可能な芯片（７）を挿入できることを特徴とする浴衣。
【発明の詳細な説明】
【技術分野】
【０００１】  本発明は、地衿にひだをとり外見上は共衿が縫いとめてある様に見える構造の浴衣で、祭りや花火見物の外出用に着用する浴衣に関するものである。
【背景技術】
【０００２】  祭りや花火見物などで着用される外出用浴衣の共衿に開口部を設けて芯片を挿入する浴衣や共衿に沿わせて収納部を設けて芯片の着装を可能にする浴衣（例えば、特許文献１参照）が提案されている。
【先行技術文献１】
【０００３】
【特許文献１】実用新案登録第３０９９９５４号
【発明の概要】
【発明者が解決しようとする課題】
【０００４】  しかし最近大量に市場で販売されている浴衣は共衿がなく地衿にひだをとり外見上共衿が縫いとめてある様に見える構造になっているため、共衿に開口部を設け、芯片を挿入することは不可能である。また、特許文献１の浴衣は共衿に沿わせ収納部を設ける構造の為、首周りの衿を形成する布が通常より１枚増える。その為首周りだけが重厚な印象を受け体裁が悪い。また浴衣を仕立てる段階において収納部を共衿に設けるという工程が増える為手間と費用がかかる。
【課題を解決するための手段】
【０００５】  本発明の浴衣は地衿にひだをとり、外見上は縫い止めてある様にみえる共衿に開口部を設け、芯片を挿入し着装する。
【発明の効果】
【０００６】  本発明の浴衣を使用することにより共衿がない構造の浴衣でも芯片を挿入することが可能となり、和装特有の衣紋を抜くという衿の形状を容易に形成、保持することができる。
また浴衣を仕立てる段階においても手間、費用をかけることなく実施が可能である。
【図面の簡単な説明】
【０００７】
【図１】本発明の浴衣を示した正面図である。
【図２】実施形態１を示した図１のＡ部詳細図である。
【図３】実施形態２を示した図１Ｂ−Ｂ線での断面図である。
【発明を実施するための形態】
【０００８】  以下、図面を参照して、本発明にかかる浴衣について説明する。
【０００９】  図２には本発明に係る実施形態１を示している。地衿（１）にひだをとり、外見上は縫い止めてある様にみえる共衿（２）と前身頃とを縫い合わせてある裏前身頃（４）の縫合部（５）の一端または両端に開口部（３）を設け、芯片（７）を挿入し、外見上の共衿（２）内部に装着する。
前記開口部（３）は、芯片を地衿（１）に通り得る程度の大きさとする。
【００１０】  図３には本発明に係る実施形態２を示している。地衿（１）にひだをとり、外見上は縫い止めてある様にみえる共衿（２）のひだ部分に開口部（３）を設け、芯片（７）を挿入し、外見上の共衿（２）内部に装着する。
【００１１】  芯片（７）は現在市販されている着物用の衿芯よりやや柔らかいもので、長さ、および幅は外見上の共衿（２）とほぼ同寸の挿入可能な大きさが好ましい。
【符号の説明】
【００１２】（１）地衿
（２）外見上の共衿
（３）開口部
（４）裏前身頃
（５）縫合部
（６）ひだ
（７）芯片
【図１】
2011074549.tif 000003
【図２】
2011074549.tif 000004
【図３】
2011074549.tif 000005